【事件の表示】
　特願２０００−　１４６１０「両面鏡面サファイヤ基板及びその製造方法」拒絶査定不服審判事件〔平成１３年　７月２４日出願公開、特開２００１−１９８８０８〕について、次のとおり審決する。
【結　論】
　本件審判の請求は、成り立たない。
【理　由】
第１　手続の経緯
　本件出願は、平成１２年１月２４日の特許出願であって、同１４年７月９日付で拒絶の理由が通知され、その指定期間内の同年９月１３日に意見書と共に明細書について手続補正書が提出されたが、同年１１月１８日付で拒絶をすべき旨の査定がされ、同年１２月１９日に本件審判の請求がされ、その後、同１５年１月１０日に明細書について再度手続補正書が提出されたものである。
　
第２　平成１５年１月１０日付の補正についての補正却下の決定
［補正却下の決定の結論］
　平成１５年１月１０日付の補正を却下する。
　
［理由］
１　補正の内容の概要
　本件補正は、特許請求の範囲について補正するものであって、その請求項１について補正前後の記載を補正箇所に下線を付して示すと以下のとおりである。
（１）補正前の請求項１
【請求項１】サファイアインゴットを指定方位に従ってブランクを切り出すステップと、
　前記ブランクをキャリア内セットするステップと、
　前記キャリア内にセットした前記ブランクを、前記ブランクが前記キャリア内を自由に動きながら上定盤と下定盤間で前記ブランクの表面と裏面とを同時に研磨するステップと、
　を有するサファイヤ基板の製造方法。
（２）補正後の請求項１
【請求項１】サファイアインゴットを指定方位に従ってブランクを切り出すステップと、
　前記ブランクをキャリア内セットするステップと、
　前記キャリア内にセットした前記ブランクを、前記ブランクが前記キャリア内を自由に動きながら
前記ブランクの反った部分から研磨されるように
　を有するサファイヤ基板の製造方法。
　
２　補正の適否　　　
　本件補正のうち特許請求の範囲の請求項１についての補正は、ブランクの表面と裏面とを同時に研磨するに当たって、「前記ブランクの反った部分から研磨されるように」することを限定するものであり、特許請求の範囲の減縮を目的とすることが明らかであるので、さらに、補正後の特許請求の範囲の請求項１に係る発明（以下「補正発明」という。）が特許出願の際に独立して特許を受けることができるものであるか否かについて検討する。
（１）補正発明
　補正発明は、本件補正により補正された明細書及び願書に最初に添付した図面の記載からみて、前記１（２）に示す特許請求の範囲の請求項１に記載された事項により特定されるとおりの「サファイヤ基板の製造方法」であると認める。
　
（２）引用例
　これに対して、原査定の拒絶の理由に引用された本件出願前に日本国内において頒布された刊行物である特開昭５５−６５０７０号公報（以下「引用例」という。）には以下の事項が記載されている。
ア　第１頁左下欄第１５〜１９行
「本発明のものは・・・サフアイヤ・・・・・・・の薄物材料を電気的、化学的な方法を含む両面ラップ盤及びフアイングラインデイング盤における、キヤリャ装置を提供するにある。」
　
イ　第１頁右下欄第１〜１６行
「第１図及び第２図はキヤリャのレシプロケーテイング方式であり、１はラップあるいはと石あるいはラップで回転をする様になっており、２はキヤリャ３により保持された被加工物である。
３はテンシヨン金具４により外周にはりをもたせられた薄物加工用の薄物キヤリャである。
４はテンシヨン金具でキヤリャ３にはりをもたせられる為に用意されたものであり、５はこのキヤリャに左右方向にレシプロケーテイング運動を与える為のカムである
６はキヤリャに前後方向にレシプロケーテイング運動を与える為のカムである。
この５と６を同時に動かす事により、キヤリャ３は前後左右にエクセントリックな運動をする。
７はその時にテンシヨン金具が右端に、８は左端に、９は後方に、１０は前方にそれぞれふられた場合の位置を示す線である。」
　
ウ　第２図
　上側のラップと下側のラップ間で被加工物２の表面と裏面とを同時に研磨すること。
　
　これらの記載事項を補正発明に照らして整理すると、引用例には以下の発明が記載されていると認めることができる。
「サフアイヤの薄物材料である被加工物２をキヤリャ３に保持するステップと、
　前記キヤリャ３に保持した前記被加工物２を上側のラップと下側のラップ間で前記被加工物２の表面と裏面とを同時に研磨するステップと、
　を有するサファイヤ基板の製造方法。」
　
（３）対比
　補正発明と引用例記載の発明とを対比すると、引用例記載の発明の「サフアイヤの薄物材料である被加工物２」が、補正発明の「ブランク」に相当し、以下同様に「キヤリャ３」が「キャリア」に、「上側のラップ」が「上定盤」に、「下側のラップ」が「下定盤」にそれぞれ相当する。そして、引用例記載の発明において「被加工物２をキヤリャ３に保持する」ことは、補正発明において「ブランクをキャリア内セットする」ことにほかならない。
　したがって、補正発明と引用例記載の発明とは、
「ブランクをキャリア内セットするステップと、
　前記キャリア内にセットした前記ブランクを上定盤と下定盤間で前記ブランクの表面と裏面とを同時に研磨するステップと、
　を有するサファイヤ基板の製造方法。」
である点で一致し、次の２点で相違している。
［相違点１］
　補正発明では、ブランクをキャリア内セットするステップの前に、サファイアインゴットを指定方位に従ってブランクを切り出すステップを有しているのに対して、引用例記載の発明では、このステップを有しているのかどうか明らかでない点。
［相違点２］
　補正発明では、前記ブランクが前記キャリア内を自由に動きながら前記ブランクの反った部分から研磨されるようになっているのに対して、引用例記載の発明では、そのようになっているのかどうか明らかでない点。
　
（４）相違点の検討
ア　相違点１について
　引用例記載の発明においても、ブランクをキャリア内セットするステップの前に、当然ブランクを得るステップを有しており、また、サファイヤ基板用のブランクを得る際に、サファイアインゴットを指定方位に従ってブランクを切り出すことは特に例示するまでもなく従来周知である。
　そうしてみると、引用例記載の発明において、ブランクをキャリア内セットするステップの前に、サファイアインゴットを指定方位に従ってブランクを切り出すステップを設けることは、当業者が格別の創意を要することなく容易に想到するところである。
　
イ　相違点２について
　キャリア内にセットしたブランクを上定盤と下定盤間で同時に両面研磨する場合、ブランクがキャリア内で自由に動くことができるようにセットすることも特に例示するまでもなく従来周知であり、また、この場合において、ブランクが反っていれば、その反った部分から研磨されることは、ブランクの材質の如何に関わらず先ずその反った部分が定盤に接することからみてごく当然の事象である（必要であれば、特開平７−２８３５３６号公報の段落【００１０】を参照）。
　そうしてみると、相違点２において補正発明のように構成することに格別の困難性は見当たらない。
　
ウ　補正発明の効果について
　補正発明によってもたらされる効果も、引用例記載の発明及び上記従来周知の各事項から当業者であれば十分予測できる範囲内のものであって格別顕著なものではない。
　
エ　したがって、補正発明は、引用例記載の発明及び従来周知の事項に基づいて当業者が容易に発明をすることができたものであるから、特許法第２９条第２項の規定により特許出願の際独立して特許を受けることができないものである。
　
３　むすび
　以上のとおり、本件補正は、平成１５年法律第４７号による改正前の特許法第１７条の２第５項において準用する同法第１２６条第４項の規定に違反するので、その余の補正の要件について検討するまでもなく、同法第１５９条第１項において読み替えて準用する同法第５３条第１項の規定により却下すべきものである。
　
第３　本件発明について
１　本件発明
　平成１５年１月１０日付の補正は、上記のとおり却下されたので、本件出願の請求項に係る発明は、平成１４年９月１３日付手続補正書により補正された明細書及び願書に最初に添付した図面の記載からみて、その特許請求の範囲の請求項１ないし請求項５に記載されたとおりのものであると認められるところ、請求項１に係る発明（以下「本件発明」という。）は、前記第２の１（１）に示す特許請求の範囲の請求項１に記載された事項により特定されるとおりの「サファイヤ基板の製造方法」であると認める。
　
２　引用例
　これに対して、原査定の拒絶の理由に引用された引用例及びその記載内容は、前記第２の２（２）に示したとおりである。
　
３　対比・検討
　本件発明は、前記第２の２で検討した補正発明から「前記ブランクの反った部分から研磨されるように」という事項を削除したものである。
　そうすると、本件発明を構成する事項の全てを含み、さらに他の事項を付加する補正発明が前記第２の２（４）エで示したとおり、引用例記載の発明及び従来周知の事項に基づいて当業者が容易に発明をすることができたものであるから、本件発明も同様の理由により当業者が容易に発明をすることができたものである。
　
４　むすび
　したがって、本件発明は、特許法第２９条第２項の規定により特許を受けることができないものであり、その余の請求項に係る発明について検討するまでもなく本件出願は拒絶されるべきものである。
　よって、結論のとおり審決する。